(57)【要約】      （修正有）【課題】旋回流の周方向における均一性を高めた燃料噴射弁を提供する。【解決手段】上流側から下流側に向かって曲率が次第に大きくなるように形成された内周壁を有する旋回室２２ａと、弁軸方向に流入領域２０ｂを有し旋回室２２ａに燃料を導入する旋回用通路２１ａと、旋回室２２ａに開口する燃料噴射孔２３ａとを備えた燃料噴射弁において、オリフィスプレートの中央部において連結され、旋回用通路２１ａの高さを、連結部２５に向かって低くした。【選択図】図２
2014173477.tif 000002
【特許請求の範囲】
【請求項１】
摺動可能に設けられた弁体と、閉弁時に前記弁体が座る弁座面が形成されるとともに、燃料の流れに対して下流側に開口部を有するノズル体と、前記ノズル体の前記開口部と連通し、燃料の流れに対して下流側に設けられた旋回用通路と、前記旋回用通路よりも燃料の流れに対して下流側に形成され、円筒状の内側面を有し、内部で燃料を旋回させて旋回力を付与する旋回室と、前記旋回室の底部に円筒状に形成され外部に燃料を噴射する燃料噴射孔と、を備えた燃料噴射弁において、
前記旋回用通路は、前記ノズル体の一端側に設けられたオリフィスプレートの中央付近において連結され、前記旋回用通路の高さを、前記連結部に向かって低くしたことを特徴とする燃料噴射弁。
【請求項２】
摺動可能に設けられた弁体と、閉弁時に前記弁体が座る弁座面が形成されるとともに、燃料の流れに対して下流側に開口部を有するノズル体と、前記ノズル体の前記開口部と連通し、燃料の流れに対して下流側に設けられた旋回用通路と、前記旋回用通路よりも燃料の流れに対して下流側に形成され、円筒状の内側面を有し、内部で燃料を旋回させて旋回力を付与する旋回室と、前記旋回室の底部に円筒状に形成され外部に燃料を噴射する燃料噴射孔と、を備えた燃料噴射弁において、
前記旋回用通路は、前記ノズル体の一端側に設けられたオリフィスプレートの中央付近において連結され、前記旋回用通路の容積を、前記連結部に向かって減少したことを特徴とする燃料噴射弁。
【発明の詳細な説明】
【技術分野】
【０００１】
本発明は、内燃機関で使用される燃料噴射弁に係り、旋回燃料を噴射して微粒化性能を向上させ得る燃料噴射弁に関する。
【背景技術】
【０００２】
複数個の燃料噴射孔から噴射される燃料の微粒化を、旋回流れを利用して促進する従来技術として、特許文献１に記載された燃料噴射弁が知られている。
【０００３】
この燃料噴射弁では、弁体と協働する弁座の下流端が前端面に開口する弁座部材と、この弁座部材の前端面に接合されるインジェクタプレートとの間に、前記弁座の下流端に連通する横方向通路と、この横方向通路の下流端が接線方向に開口するスワール室とを形成し、このスワール室でスワールを付与された燃料を噴射させる燃料噴射孔を前記インジェクタプレートに穿設し、前記燃料噴射孔を前記スワール室の中心から前記横方向通路の上流端側に所定距離オフセットして配置する。
【０００４】
この様な構成により、各々の燃料噴射孔からの燃料の微粒化を効果的に促進させることができる。
【０００５】
特許文献２に記載された燃料噴射弁は、不動の弁座を有する弁座体と、該弁座体と共働しかつ弁長手方向軸線に沿って軸方向に可能な弁閉鎖体と、弁座の下流に配置された孔付円板とが設けられており、該孔付円板が少なくとも１つの流入領域と少なくとも１つの流出開口とを有しており、少なくとも1つの流入領域を有する上側の機能平面が横断面で見て、少なくとも1つの流出開口を有する下側の機能平面とは異なった開口ジオメトリを備えている形式のものにおいて、弁座体が孔付円板の少なくとも1つの流入領域を部分的に直接的に下端面で覆っていて、少なくとも２つの流出開口が弁座体によって覆われている。
【０００６】
この様な構成により、燃料の霧化を改善する為の流れにおいてＳ字偏流が実現されていて、高い霧化品質を備えた噴霧形状を形成している。
【先行技術文献】
【特許文献】
【０００７】
【特許文献１】特開２００３−３３６５６２号
【特許文献２】特表２０００−５０８７３９号
【発明の概要】
【発明が解決しようとする課題】
【０００８】
周方向においてスワール強さが略対称（周方向の均一性が高い）となる旋回燃料を燃料噴射孔より噴射させるためには、燃料噴射孔の出口部において旋回流れを略対称（周方向の均一性が高い）とするために、スワール室（旋回室）形状や横方向通路（旋回用通路）を含めた流路形状の工夫が必要になる。特に、燃料流路の総容積は噴射特性の精度に影響（容積が大きくなると精度が悪化）するため、流路の容積を極力小さくして旋回室の周方向の流れの均一性を高める必要がある。
【０００９】
特許文献１や特許文献２に記載された従来技術では、弁軸方向より流入した燃料は、それぞれ直角方向に延びる横方向通路を介して旋回室に至る。このような流路構成では、燃料は横方向通路の入口部で急激に流れ方向が変化するため流路断面内に偏った流れを誘起する。このような偏った流れが十分整流されないまま旋回室に至ると、燃料噴射孔側への急峻な流れ込みが発生して、旋回流の略対称（周方向の均一性が高い）が損なわれる可能性がある。
【００１０】
本発明は係る事情に鑑みてなされたものであり、旋回流の周方向における均一性を高めた燃料噴射弁を提供することを目的とする。
【課題を解決するための手段】
【００１１】
摺動可能に設けられた弁体と、閉弁時に前記弁体が座る弁座面が形成されるとともに、燃料の流れに対して下流側に開口部を有するノズル体と、ノズル体の前記開口部と連通し、燃料の流れに対して下流側に設けられた旋回用通路と、旋回用通路よりも燃料の流れに対して下流側に形成され、円筒状の内側面を有し、内部で燃料を旋回させて旋回力を付与する旋回室と、旋回室の底部に円筒状に形成され外部に燃料を噴射する燃料噴射孔と、を備えた燃料噴射弁において、旋回用通路は、前記ノズル体の一端側に設けられたオリフィスプレートの中央付近において連結され、前記旋回用通路の高さを、前記連結部に向かって低くした。
【発明の効果】
【００１２】
本発明によると、旋回流の周方向における均一性が高められ、燃料の微粒化が促進される。
【図面の簡単な説明】
【００１３】
【図１】本発明の実施例の一つに係る燃料噴射弁の全体構成を弁軸心に沿う断面で示した縦断面図である。
【図２】本発明の実施例の一つに係る燃料噴射弁におけるノズル体近傍を示す縦断面図である。
【図３】本発明の実施例の一つに係る燃料噴射弁におけるノズル体の下端部に位置するオリフィスプレートの平面図である。
【図４】本発明の実施例の一つに係る燃料噴射弁におけるオリフィスプレートの中心部に形成した連結部及び旋回用通路と旋回室を示すための拡大平面図である。
【図５】図４のＢ方向の断面図である。
【図６】本発明の実施例の一つに係る燃料噴射弁におけるノズル体の下端部に位置する第２の実施例に係るオリフィスプレートの平面図である。
【図７】従来のオリフィスプレートにおける旋回用通路及び旋回室内の流れを説明する為の部分的な拡大平面図である。
【図８】図７のＢ方向の断面図である。
【図９】図７のＣ方向の断面図である。
【図１０】図７のＥ方向の断面図である。
【図１１】図７のＥ方向の断面図である。
【発明を実施するための形態】
【００１４】
本発明の実施例について、図１乃至図９を用いて説明する。
【実施例１】
【００１５】
本発明の第１の実施例について、図１乃至図５を用いて以下説明する。図１は、本発明の実施例の一つに係る燃料噴射弁１の全体構成を弁軸心に沿う断面で示した縦断面図である。
【００１６】
図１において、燃料噴射弁１は、ステンレス製の薄肉パイプ１３にノズル体２、弁体６を収容し、この弁体６を外側に配置した電磁コイル１１で往復動作（開閉動作）させる構造である。以下、構造の詳細について説明する。
【００１７】
電磁コイル１１を取り囲む磁性体のヨーク１０と、電磁コイル１１の中心に位置し、一端がヨーク１０と磁気的に接触したコア７と、所定量リフトする弁体６と、この弁体６に接する弁座面３と、弁体６と弁座面３の隙間を通って流れる燃料の通過を許す燃料噴射室４、および燃料噴射室４の下流に複数個の燃料噴射孔２３ａ、２３ｂ、２３ｃ、２３ｄ（図２乃至図３参照）を有するオリフィスプレート２０を備えている。
【００１８】
また、コア７の中心には、弁体６を弁座面３に押圧する弾性部材としてのスプリング８が備えてある。このスプリング８の弾性力はスプリングアジャスタ９の弁座面３方向への押し込み量によって調整される。
【００１９】
コイル１１に通電されていない状態では、弁体６と弁座面３とが密着している。この状態では燃料通路が閉じられているため、燃料は燃料噴射弁１内部に留まり、複数個設けられている各々燃料噴射孔２３ａ、２３ｂ、２３ｃ、２３ｄからの燃料噴射は行われない。
【００２０】
一方、コイル１１への通電があると、電磁力によって弁体６が対面するコア７の下端面に接触するまで移動する。
【００２１】
この開弁状態では弁体６と弁座面３の間に隙間ができるため、燃料通路が開かれて各々燃料噴射孔２３ａ、２３ｂ、２３ｃ、２３ｄから燃料が噴射される。
【００２２】
なお、燃料噴射弁１には入口部にフィルター１４を有する燃料通路１２が設けられており、この燃料通路１２はコア７の中央部を貫通する貫通孔部分を含み、図示しない燃料ポンプにより加圧された燃料を燃料噴射弁１の内部を通して各々燃料噴射孔２３ａ、２３ｂ、２３ｃ、２３ｄへと導く通路である。また、燃料噴射弁１の外側部分は樹脂モールド１５によって被覆され電気絶縁されている。
【００２３】
燃料噴射弁１の動作は、上述したように、コイル１１への通電（噴射パルス）に伴って、弁体６の位置を開弁状態と閉弁状態に切り替えることで、燃料の供給量を制御している。  燃料供給量の制御にあたっては、特に、閉弁状態では燃料漏れがない弁体設計が施されている。
【００２４】
この種の燃料噴射弁では、弁体６に真円度が高く鏡面仕上げが施されているボール（ＪＩＳ規格品の玉軸受用鋼球）を用いておりシート性の向上に有益である。
【００２５】
一方、ボールが密着する弁座面３の弁座角は、研磨性が良好で真円度を高精度にできる最適な角度８０゜から１００゜であり、上述したボールとのシート性を極めて高く維持できるものである。なお、弁座面３を有するノズル体２は、焼入れによって硬度が高められており、また、脱磁処理により無用な磁気が除去されている。このような弁体６の構成により、燃料漏れの無い噴射量制御を可能としている。以って、コストパホーマンスに優れた弁体構造としている。
【００２６】
図２は、本発明の実施例の一つに係る燃料噴射弁１におけるノズル体２の近傍を示す縦断面図である。図２に示すように、オリフィスプレート２０はその上面２０ａがノズル体２の下面２ａに接触しており、この接触部分の外周をレーザ溶接してノズル体２に固定されている。なお、オリフィスプレート２０の断面は図３のＡ方向断面を示している。
【００２７】
また、本実施例において上下方向は図１を基準としており、燃料噴射弁１の弁軸心方向において燃料通路１２側を上側、各々燃料噴射孔２３ａ、２３ｂ、２３ｃ、２３ｄ側を下側とする。
【００２８】
ノズル体２の下端部には、弁座面３のシート部３ａの径φＳより小径の燃料導入孔５が設けられている。弁座面３は円錐形状をしており、その下流端中央部に燃料導入孔５が形成されている。
【００２９】
弁座面３の中心線と燃料導入孔５の中心線とは弁軸芯Ｙに一致するように、弁座面３と燃料導入孔５とが形成されている。燃料導入孔５によって、ノズル体２の下端面２ａとオリフィスプレート２０の上面２０aとの接触面に、燃料通路に連通する流入開口２０ｂが各々下流に位置する燃料通路に対応して形成される。
【００３０】
次に、オリフィスプレート２０の構成について、図３を用いて説明する。図３は、本発明に係る燃料噴射弁１におけるノズル体２の下端部に位置するオリフィスプレート２０の平面図である。
【００３１】
オリフィスプレート２０の中心から周方向に等間隔（９０度の間隔）に配置され、径方向外周側に向けて放射状に延びる４個の旋回用通路２１ａ、２１ｂ、２１ｃ、２１ｄが形成されている。これらの旋回用通路２１ａ、２１ｂ、２１ｃ、２１ｄはオリフィスプレート２０の上面２０ａ側に設けられた凹形状の燃料通路をなしている。
【００３２】
旋回用通路２１ａの下流端は旋回室２２ａに連通するよう接続され、旋回用通路２１ｂの下流端は旋回室２２ｂに連通するよう接続され、旋回用通路２１ｃの下流端は旋回室２２ｃに連通するよう接続され、旋回用通路２１ｄの下流端は旋回室２２ｄに連通するよう接続されている。
【００３３】
旋回用通路２１ａ、２１ｂ、２１ｃ、２１ｄは旋回室２２ａ、２２ｂ、２２ｃ、２２ｄにそれぞれ燃料を供給する燃料通路であり、この意味において旋回用通路２１ａ、２１ｂ、２１ｃ、２１ｄを旋回燃料供給通路２１ａ、２１ｂ、２１ｃ、２１ｄと呼んでもよい。
【００３４】
旋回室２２ａ、２２ｂ、２２ｃ、２２ｄの壁面は、上流側から下流側に向かって曲率が次第に大きくなるように（曲率半径が次第に小さくなるように）形成されている。このとき、曲率は連続的に大きくしてもよいし、所定の範囲で曲率が一定になるようにしながら上流側から下流側に向かって段階的に次第に大きくなるようにしてもよい。
【００３５】
上流側から下流側に向かって曲率が連続的に大きくなる曲線の代表例として、インボリュート曲線（形状）又はらせん曲線（形状）や遠心送風機の設計手法に基づく曲線がある。本実施例では、らせん曲線について説明しているが、上流側から下流側に向かって曲率が次第に大きくなるとして上記のような曲線を採用しても同様に説明することができる。
【００３６】
次に、図３を用いて、本発明の実施例の一つに係る連結部２５と旋回室２２ａの形成方法及び燃料噴射孔２３ａとの関係について説明する。
【００３７】
１つの旋回用通路２１ａは旋回室２２ａの接線方向に連通開口しており、旋回室２２ａの渦中心部に燃料噴射孔２３ａが開口している。
【００３８】
前述したが、本実施例では、旋回室２２ａの内周壁は弁軸心線に垂直な平面（断面）上でらせん曲線を描くように形成されており、該らせん曲線よりなる旋回室２２ａを形成する上で、特徴的な構成について以下簡単に記述する。
【００３９】
旋回室２２ａの内壁面の延長線（接線）と旋回用通路２１ａの一方の側壁面２１ａｓの延長線が旋回室２２ａ側において交差しないように設計されている。
【００４０】
そしてこの旋回室２２ａの内壁面の終端と旋回用通路２１ａの側壁面２１ａｓとの間には厚み形成部２４ａが設けられている。この厚み形成部２４ａは加工上必要な厚み部位である。
【００４１】
らせん曲線の起点（本実施例では終点と言える）は燃料噴射孔２３ａの中心と一致している。ここに、らせん壁面に沿う流れの渦中心は燃料噴射孔２３ａの中心と一致していることになる。
更に図４を用いて説明すると旋回室２２ａの内周壁は、等差螺旋の式（１）、（２）により設計されている。等差螺旋を描く時の基準円Ｘの中心ｏと旋回室２２ａを形成する時の中心ｏと燃料噴射孔２３ａの中心ｏは位置している。
（式１）
Ｒ＝Ｄ／２×（１−ａ×θ）
（式２）
ａ＝Ｗk／（Ｄ／２）／（２π）
ここでＲは、旋回室２２ａを形成する時の中心ｏと旋回室の内周壁までの距離、Ｄは等差螺旋を描く時の基準円Ｘの直径、Ｗkは旋回室２２ａの終点Ｅと旋回室２２ａの始点Ｓの距離である。
【００４２】
旋回用通路２１ａは燃料の通過を許す為の通路幅Ｗと高さＨを示しており、図示しないが、燃料噴射孔２３ａの直径や旋回室２２ａの大きさの基準である基準円直径について、あらかじめ実験的に求めておいた諸データの中から要求仕様に近い値を選択する。すなわち、燃料噴射弁に要求される流量や噴霧角に応じて選択される。
【００４３】
以下、本実施例に係る連結部２５の構成及びその作用について説明する。
先に、図７乃至図９を用いて、連結部２５が無い状態での通路内の流れを、筆者らが行った解析結果を基にその特徴部分を模式化して説明する。この説明において、連結部２５の必要性が明らかになる。
【００４４】
図７は、オリフィスプレート２０における旋回用通路２１ａ及び旋回室２２ａの流れを説明する為の部分的な拡大図である。図８は、図７のＢ方向の断面図であり、旋回用通路２１ａの長さ方向における流れの特徴部分を説明する為の図である。図９は、図７のＣ方向の断面図であり、旋回用通路２１ａ及び旋回室２２ａの高さ方向における流れの特徴部分を説明する為の図である。
【００４５】
旋回用通路２１ａの幅方向の流れには、旋回室２２ａの入口側において燃料が燃料噴射孔２３ａに流れやすく、２１at側に比べて速度の大きい流れ３１ｂが旋回用通路２１ａの側壁２１ａｓ側に形成される。一方、対して他方の側壁側には速度の小さい流れ３１ｃが側壁２１at側に形成される。
【００４６】
これらの流れ３１ｂ、３１ｃは、弁軸方向の流れ３１ａが流入開口２０ｂより流入したのち、旋回用通路２１ａの底面２１ａｂに衝突して直角方向に曲げられるために発生する。なお、流入開口２０ｂは燃料導入孔５の開口部とオリフィスプレート２０との間に形成される略半円状の空隙である。
【００４７】
図８に示すように、旋回用通路２１ａの底面２１ａｂに衝突した流れ３１ａは、長手方向に進む間に速度を減じた流れ３１ｅとなるが、旋回室２２ａの高さ方向へ向かう流れが弱く十分な旋回効果が得られない。また、旋回用通路２１ａの下側に向かう流れ３１ｆは、流れ３１ｅに誘起されたもので、結果として死水域３１ｉを形成する。
【００４８】
また、旋回室２２ａの入口部の流れは、図９に示すように、旋回用通路２１ａの底面２１ａｂに沿って流れ３１ｇ、旋回室２２ａの厚み部位２４ａ側に流入する。このため、燃料噴射孔２３ａ側の流れ３１ｄ（図７参照）と強く干渉する。この干渉影響により、燃料噴射孔２３ａの入口部には、速度の大きく偏った流れ３１ｈが形成され、流れの対称性（均一な旋回流れ）を阻害している。
そのため図１０に示すように、燃料噴射孔２３ａからの噴霧Ｚが非対称となる。
【００４９】
本発明に係る連結部２５はこの様な急峻な流れを抑制し、旋回室２２ａの入口部の流れをその高さ方向において整流する。
【００５０】
戻って、図３乃至図５を用いて連結部２５の詳細構造について説明する。
【００５１】
連結部２５は旋回用通路２１ａの幅方向において全域に設けられている。また、連結部２５はオリフィスプレート２０の中心から周方向に等間隔（本実施例では９０度の間隔）に延びる旋回用通路２１ａ、２１ｂ、２１ｃ、２１ｄ、を連結している。弁軸芯部では、この連結部２５の高さ（図５の（Ｈ−ｈ））は低く形成されており、旋回用通路２１ａの高さの１／６以下としている。また、連結部２５は径方向の所望位置、本実施例では流入開口２０ｂを形成する位置まで延びており、旋回用通路２１ａの下流側（旋回室２２ａの入口側）に向かってその高さが高くなっていてもよい。
【００５２】
図４乃至図５に示すように、旋回用通路２１ａの高さは、ノズル体２の燃料導入孔５によって開口される流入開口２０ｂ部からステップ的に変化している。
【００５３】
この様な構成により、流入開口２０ａより流入した燃料３０ａは、連結部２５から流入する燃料３０ｂと合流することによって、旋回用通路２１ａの底面２１ａｂから旋回室２２ａの上面方向に向かって流れ３０ｆを整流し、旋回用通路２１ａの下流に向かう流れ３０ｃ、３０ｄを形成する。旋回室２２ａの入口部における速度の大きい流れ３０ｃは、死水域が小さく通路中央寄りに流れ、旋回室２２ａを周回した流れ３０ｅとの干渉が避けられるため、旋回室２２ａ内において十分な旋回が付与される。
【００５４】
また、図５に示すように、流れ３０ｆは旋回室２２ａの入口側に向かう際に、流れ３０ｇ，３０ｈを誘起することにより高さ方向に流れを整流する為、従来の様に広範囲な死水域は消滅する。したがって、旋回室２２ａの高さ方向においては流速が平均化されてり、旋回室２２ａ内に流入することにより十分な旋回が付与される。以って、燃料噴射孔２３ａの出口部において旋回流れの対称性を向上することができる。そのため図１１に示すように、燃料噴射孔２３ａからの噴霧Ｚの対称性が向上する。
【実施例２】
【００５５】
本発明の第２の実施例について、図６を用いて以下説明する。図６は図３と同様に、本発明に係るオリフィスプレートの平面図である。第１の実施例に係るオリフィスプレート２０と異なる点は、連結部２６が旋回用通路２１ａの幅方向において部分的に形成されている点である。この連結部２６の幅方向の長さＷは、旋回用通路２１ａの幅の１／３程度としている。また、この連結部２６の高さ方向の長さは、幅方向の長さの２倍程度としている。この様な構成により、連結部２６のない部分を通過する燃料は、この連結部２６を通過する燃料と合流することよって、第１の実施例と同様に、旋回用通路２１ａの底面２１ａｂから旋回室２２ａの上面方向に向かう流れを誘起し、旋回室２２ａの高さ方向にその流れを整流する。以って、旋回室２２ａ内で十分な旋回が付与される。
【００５６】
なお、連結部２６の寸法諸元は様々な加工においてその加工手順を容易としている。また、本実施例の特徴部分は、この連結部２６がその容積を微小としている点であり、噴射特性をより高精度に行うことができる。
【００５７】
また、ノズル体２とオリフィスプレート２０とは、図示していないが、治具等を用いて両者の位置決めが簡単且つ容易に実施されように構成されており、組み合わせ時の寸法精度が高められている。多少の位置ずれが生じた場合でも、連結部の効果により噴射精度への悪影響が緩和されている。
【００５８】
また、オリフィスプレート２０は量産性に有利なプレス成形（塑性加工）により製作される。なお、この方法以外に、放電加工や電鋳法、エッチング加工など比較的応力の加わらない加工精度の高い方法が考えられる。
【００５９】
この様な構成ではコスト低減効果は勿論であるが、加工性の向上によって寸法バラツキが抑えられるので、噴霧形状や噴射量のロバスト性が格段に向上する。
【００６０】
以上説明したように、本発明の実施形態にかかる燃料噴射弁は、弁軸心部に向かって高さが低くなるように旋回用通路を構成しているので、流入開口より流入した燃料は、連結部から流入する燃料と合流することによって、旋回用通路の底面から旋回室の上面方向に向かって流れを整流する。特に、周回した燃料との干渉が避けられているので、旋回室の入口部において高さ方向に十分な速度(均一化)が維持されて旋回室に供給されるため、らせん曲線より成る旋回室の内壁面に誘導され十分な旋回が付与される。また、この旋回流れの渦中心に配置される燃料噴射孔の入口部では均一な旋回流れが形成され、燃料の薄膜化を促進することになる。
【００６１】
このように均一に薄膜化した燃料噴霧は、周囲空気とのエネルギー交換が活発に行われるので、噴射直後に分裂が促進されて微粒化の良い噴霧となる。
【符号の説明】
【００６２】
１    燃料噴射弁
２    ノズル体
３    弁座面
４    燃料噴射室
５    燃料導入孔
１０  ヨーク
１１  コイル
２０  オリフィスプレート
２１ａ、２１ｂ、２１ｃ、２１ｄ    旋回用通路
２２ａ、２２ｂ、２２ｃ、２２ｄ    旋回室
２３ａ、２３ｂ、２３ｃ、２３ｄ    燃料噴射孔
２４ａ、２４ｂ、２４ｃ、２４ｄ    厚み形成部
２５、２６  連結部
【図１】
2014173477.tif 000003
【図２】
2014173477.tif 000004
【図３】
2014173477.tif 000005
【図４】
2014173477.tif 000006
【図５】
2014173477.tif 000007
【図６】
2014173477.tif 000008
【図７】
2014173477.tif 000009
【図８】
2014173477.tif 000010
【図９】
2014173477.tif 000011
【図１０】
2014173477.tif 000012
【図１１】
2014173477.tif 000013